(57)【要約】【課題】吊り下げ時に表示部の表示内容が傾き難く、吊り下げ手段の形成時に断片が脱落し難い注出口付パウチを提供する。【解決手段】パウチ本体２と、その上端部３１に取り付けられる注出口６と、を備える注出口付きパウチ１であり、パウチ本体２に設けられ且つパウチ１を吊り下げるときに用いられる切り込み線７０を更に備えるパウチ１であって、パウチ本体２は、前面を形成する前面フィルム２１及び背面を形成する背面フィルム２２を少なくとも備え、また、底部ガセットパウチ形状又は平坦パウチ形状を有し、パウチ本体２は、前面及び／又は背面に、表示部２４を有し、注出口６は、パウチ本体２の幅方向Ｄ２の中央部に、注出口取付シール部４０により取り付けられ、切り込み線７０は、パウチ本体２の上部領域３５であって、注出口取付シール部４０の下方又はこの注出口取付シール部４０を水平方向Ｄ２に延長した仮想延長部分４５の下方に、配置されている。【選択図】図１
2018070244.tif 000002
【特許請求の範囲】
【請求項１】
可撓性のフィルムで構成されるパウチ本体と、前記パウチ本体の上端部に取り付けられる注出口と、を備える注出口付きパウチであり、前記パウチ本体に設けられ且つ注出口付きパウチを吊り下げるときに用いられる切り込み線を更に備える注出口付きパウチであって、
前記パウチ本体は、前記フィルムとして、前面を形成する前面フィルム及び背面を形成する背面フィルムを少なくとも備え、また、底部にマチ部を備える底部ガセットパウチ形状を有するか、又は、底部にマチ部を備えない平坦パウチ形状を有し、
前記パウチ本体は、前面及び／又は背面に、表示部を有し、
前記注出口は、前記パウチ本体の幅方向中央部に、注出口取付シール部により取り付けられ、
前記切り込み線は、前記パウチ本体の上部領域であって、前記注出口取付シール部の下方又はこの注出口取付シール部を水平方向に延長した仮想延長部分の下方に、配置されている、注出口付きパウチ。
【請求項２】
前記切り込み線は、非連続部を挟んで非連続的になっており、前記非連続部が破断することによって連続するように構成されている、請求項１に記載の注出口付きパウチ。
【請求項３】
前記パウチ本体の前記前面フィルムの側部と前記背面フィルムの側部とは、側部シール部により接合されており、
前記側部シール部は、前記注出口取付シール部と接続する第１側部シール部と、前記第１側部シール部の下部と連続する第２側部シール部とに区画されており、前記第１側部シール部の幅は、前記第２側部シール部の幅よりも広くなっており、
前記切り込み線は、前記第１側部シール部に配置されている、請求項１又は２に記載の注出口付きパウチ。
【請求項４】
前記切り込み線の少なくとも一部は、前記第２側部シール部の内縁よりも内容物収容部側に配置されている、請求項３に記載の注出口付きパウチ。
【発明の詳細な説明】
【技術分野】
【０００１】
本発明は、流動性を有する内容物を収容し、内容物を注出口から注出可能な注出口付きパウチに関する。
【背景技術】
【０００２】
液体などの流動性を有する内容物、例えば食品、日用品、医薬品を収容するために、可撓性のフィルムで構成されたパウチ本体と、パウチ本体の上端部に取り付けられたプラスチック成形体からなる注出口と、を備える注出口付パウチが知られている。また、注出口付パウチを吊り下げて展示するために、注出口付パウチのパウチ本体の上部に、店頭展示用の吊り下げ用フックが挿入される吊り下げ用貫通孔を設けたものが知られている（例えば、下記特許文献１参照）。また、注出口付パウチに係る商品の訴求力を高めるために、パウチ本体の前面などにイラスト等の各種表示部を設けることも行われている。
【先行技術文献】
【特許文献】
【０００３】
【特許文献１】特開２０００−２５７９３号公報
【発明の概要】
【発明が解決しようとする課題】
【０００４】
注出口付パウチの使い勝手を考慮すると、注出口をパウチ本体の幅方向中央部に配置して、重量バランス的に左右対称であることが好ましいことが多い。その場合、吊り下げ用貫通孔をパウチ本体の幅方向中央部に配置することができず、横方向にずれた位置に配置することになる。このような配置の吊り下げ用貫通孔を利用して注出口付パウチを吊り下げる場合には、正面視でパウチ本体が傾く。その場合、パウチ本体の前面など設けられる表示部の表示内容も傾いてしまい、表示部の表示内容を自然に視認しにくくなる。表示部の表示内容がなるべく傾かずに、表示部の表示内容を比較的自然に視認できれば、商品訴求力が高い点で好ましい。
また、特許文献１に記載のような貫通孔からなる吊り下げ手段では、穿孔された際に生じる断片が、パウチ本体の収容部に脱落する等の不具合が発生しやすい。穿孔された際に生じる断片に起因する不具合を防止することが望まれている。
【０００５】
本発明は、パウチ本体の幅方向中央部に注出口を備え、パウチ本体に、吊り下げるための吊り下げ手段と表示部とを備える注出口付パウチにおいて、吊り下げ時に表示部の表示内容が傾きにくいと共に、吊り下げ手段の形成時に断片の脱落が発生しくい注出口付パウチを提供することを目的とする。
【課題を解決するための手段】
【０００６】
本発明者らは、上記課題を解決すべく、鋭意検討を行った結果、以下の手段によって上記課題を解決できることを見出し、本発明を完成するに至った。
【０００７】
（１）可撓性のフィルムで構成されるパウチ本体と、前記パウチ本体の上端部に取り付けられる注出口と、を備える注出口付きパウチであり、前記パウチ本体に設けられ且つ注出口付きパウチを吊り下げるときに用いられる切り込み線を更に備える注出口付きパウチであって、前記パウチ本体は、前記フィルムとして、前面を形成する前面フィルム及び背面を形成する背面フィルムを少なくとも備え、また、底部にマチ部を備える底部ガセットパウチ形状を有するか、又は、底部にマチ部を備えない平坦パウチ形状を有し、前記パウチ本体は、前面及び／又は背面に、表示部を有し、前記注出口は、前記パウチ本体の幅方向中央部に、注出口取付シール部により取り付けられ、前記切り込み線は、前記パウチ本体の上部領域であって、前記注出口取付シール部の下方又はこの注出口取付シール部を水平方向に延長した仮想延長部分の下方に、配置されている、注出口付きパウチ。
【０００８】
（２）前記切り込み線は、非連続部を挟んで非連続的になっており、前記非連続部が破断することによって連続するように構成されている、（１）に記載の注出口付きパウチ。
【０００９】
（３）前記パウチ本体の前記前面フィルムの側部と前記背面フィルムの側部とは、側部シール部により接合されており、前記側部シール部は、前記注出口取付シール部と接続する第１側部シール部と、前記第１側部シール部の下部と連続する第２側部シール部とに区画されており、前記第１側部シール部の幅は、前記第２側部シール部の幅よりも広くなっており、前記切り込み線は、前記第１側部シール部に配置されている、（１）又は（２）に記載の注出口付きパウチ。
【００１０】
（４）前記切り込み線の少なくとも一部は、前記第２側部シール部の内縁よりも内容物収容部側に配置されている、（３）に記載の注出口付きパウチ。
【発明の効果】
【００１１】
本発明によれば、パウチ本体の幅方向中央部に注出口を備え、パウチ本体に、吊り下げるための吊り下げ手段と表示部とを備える注出口付パウチにおいて、吊り下げ時に表示部の表示内容が傾きにくいと共に、吊り下げ手段の形成時に断片の脱落が発生しくい注出口付パウチを提供することができる。
【図面の簡単な説明】
【００１２】
【図１】本発明の第１実施形態の注出口付きパウチ１の正面図である。
【図２】図１の部分拡大図である。
【図３】（Ａ）は図１に示すＡ−Ａ線断面図であり、（Ｂ）は図１に示すＢ−Ｂ線断面図であり、（Ｃ）は（Ｂ）に示すＣ−Ｃ線断面図である。
【図４】吊り下げられた状態の注出口付パウチ１を示す斜視図である。
【図５】吊り下げられた状態の注出口付パウチ１を示す正面図である。
【図６】変形例の切り込み線の拡大図である。
【図７】本発明の第２実施形態の注出口付きパウチ１Ａの正面図である（図１対応図）。
【図８】底部にマチ部を備えない平坦パウチ形状のパウチ本体を示す部分断面図である（図３（Ｃ）対応図）。
【発明を実施するための形態】
【００１３】
〔第１実施形態〕
以下、図１〜図５を参照して、本発明の第１実施形態の注出口付パウチ１について説明する。図１は、本発明の第１実施形態の注出口付きパウチ１の正面図である。図２は、図１の部分拡大図である。図３において（Ａ）は図１に示すＡ−Ａ線断面図であり、（Ｂ）は図１に示すＢ−Ｂ線断面図であり、（Ｃ）は（Ｂ）に示すＣ−Ｃ線断面図である。図４は、吊り下げられた状態の注出口付パウチ１を示す斜視図である。図５は、吊り下げられた状態の注出口付パウチ１を示す正面図である。
【００１４】
図１〜図３に示すように、第１実施形態の注出口付パウチ１は、パウチ本体２と、注出口６と、吊り下げ手段としての切り込み線７０とを備える。注出口付パウチ１は、パウチ本体２に流動性を有する内容物を収容し、パウチ本体２に収容された内容物を注出口６から注出可能である。また、図４、図５に示すように、注出口付パウチ１は、切り込み線７０を利用して吊り下げられることができる。以下に各構成について詳述する。
【００１５】
各図面において、上方向をＤ１１で示し、下方向をＤ１２で示し、両方向を合わせて「上下方向Ｄ１」という。左方向をＤ２１で示し、右方向をＤ２２で示し、両方向を合わせて「横方向Ｄ２」という。横方向Ｄ２は、パウチ本体２の幅方向Ｄ２でもあり、水平方向Ｄ２でもある。
【００１６】
〔パウチ本体〕
パウチ本体２は、流動性を有する内容物を収容する内容物収容部２６（図３参照）を有する。内容物収容部２６に収容される内容物は、流動性を有すれば特に制限されない。内容物としては、例えば、ジュース類、果汁類、ゼリー状飲料、栄養ドリンク剤等の飲料品や、液体状又は粉末状の調味料、その他種々の飲食品が挙げられる。また、内容物としては、各種の日用品、医薬品が挙げられる。
【００１７】
図１〜図３に示すように、パウチ本体２は、可撓性のフィルムで構成される。パウチ本体２を構成するフィルムは、前面を形成する前面フィルム２１と、背面を形成する背面フィルム２２と、底部３２のマチ部３４を形成する底部フィルム２３と、を備える。パウチ本体２は、底部３２にマチ部３４を備える底部ガセットパウチ形状を有する。見方を変えると、パウチ本体２は、前面フィルム２１によって形成された前面と、背面フィルム２２によって形成された背面と、底部３２のマチ部３４によって形成された底面と、を有する。注出口付パウチ１は、自立性を有するスタンディングパウチとして機能する。
【００１８】
前面フィルム２１及び背面フィルム２２は、略矩形のフィルムから構成される。略矩形は、幾何学上の長方形に制限されず、全体視で長方形と認められる形状を含む。例えば、側縁、底縁又は上縁のいずれか１つ以上が曲線部分を含んでいてもよい。また、フィルムの隅部は、外に凸の円弧状に丸みを帯びていてもよい。
【００１９】
マチ部３４は、パウチ本体２の底部３２に設けられる。内容物収容部２６に内容物が収納された場合には、図３（Ｂ）及び（Ｃ）に示すように、マチ部３４は十分に広がる。そのため、注出口付パウチ１は自立可能となる。また、マチ部３４が広がるので、底部にマチ部を備えない平坦パウチ形状の場合と比べて、内容物収容部２６の容積を大きくすることができる。一方、内容物収容部２６に内容物が収納されていない場合には、マチ部３４を形成する底部フィルム２３は、上部に折り返し部が形成されるように折り返されることができる。これにより、パウチ本体２の全体の厚さは小さくなる。
【００２０】
なお、本発明は、内容物が収容されていない状態の注出口付きパウチも、内容物が収容されている状態の注出口付きパウチも含む。
【００２１】
また、前面フィルム２１と背面フィルム２２と底部フィルム２３とは、パウチ本体２の形成前において、互いに別個のフィルムであってもよく、又は、一体的なフィルムであってもよい。一体的なフィルムの場合、前面フィルム２１、背面フィルム２２及び底部フィルム２３のいずれか２つ以上が一体的であってもよい。一体的なフィルムは、折り曲げられて、前面フィルム２１、背面フィルム２２及び底部フィルム２３のいずれか２つ以上を形成する。
【００２２】
パウチ本体２の側部３３において、前面フィルム２１の側部２１３と背面フィルム２２の側部２２３とは、接合される。接合手段として、例えば、熱溶着（ヒートシール）、超音波溶着などが挙げられる（以下、同様）。この接合により、パウチ本体２の左右の側部３３それぞれには、前面フィルム２１の側部２１３と背面フィルム２２の側部２２３とを接合するシール部として、側部シール部５０，５０が形成される。側部シール部５０の詳細については後述する。なお、パウチ本体２の側部３３には、マチ部は設けられていない。
【００２３】
パウチ本体２の底部３２において、前面フィルム２１の下部周縁部と底部フィルム２３の前半分の周縁部とが接合されると共に、背面フィルム２２の下部周縁部と底部フィルム２３の後半分の周縁部とが接合される。このようにして、パウチ本体２の底部３２には、底部シール部５５が形成される。
【００２４】
〔注出口、注出口取付シール部〕
図１、図２、図３（Ａ）に示すように、注出口６は、パウチ本体２に収容されている内容物を注出する口部材である。注出口６の筒部６１は、パウチ本体２の上端部３１を含むように取り付けられている。注出口６は、プラスチック成形体から形成されており、例えば、射出成形法で作製することができる。
【００２５】
注出口６は、中空の円筒形状を有する筒部６１と、筒部６１の外周面に設けられたフランジ部６２と、取付片６３と、を備える。筒部６１には、上下方向に延びる貫通孔が形成されている。筒部６１の下部は、前面フィルム２１の内面と背面フィルム２２の内面とによって挟まれている。前記貫通孔を介して、パウチ本体２の内容物収容部２６に収容されている内容物は、外部に注出される。
フランジ部６２は、前面フィルム２１の内面と背面フィルム２２の内面とによって挟まれていない筒部６１の上部の外周面から延出しており、上下方向Ｄ１に複数個設けられている。フランジ部６２の厚さ方向は上下方向Ｄ１である。
【００２６】
取付片６３は、前面フィルム２１の内面と背面フィルム２２の内面とによって挟まれる筒部６１の下部の外周面から、横方向Ｄ２の両側に延出している板状の片部である。取付片６３の厚さ方向は、パウチ本体２の前後方向である。取付片６３は、注出口６をパウチ本体２に取り付ける際に、前面フィルム２１及び背面フィルム２２に対して熱溶着される。このような取付片６３が設けられていることにより、注出口６においてパウチ本体２に熱溶着される部分の面積を増加させることができる。従って、パウチ本体２と注出口６との間での熱溶着をより強固にすることができる。
【００２７】
注出口６の筒部６１の外周面の上部には、キャップ６９（後述）の内周面に設けられた雌ネジ部（図示せず）と係合（螺合）する雄ネジ部（図示せず）が設けられている。
【００２８】
第１実施形態において、注出口６の筒部６１は、パウチ本体２の幅方向Ｄ２の中央部に設けられている。すなわち、第１実施形態において、注出口６の筒部６１の幅方向Ｄ２の中央部の位置は、パウチ本体２の幅方向Ｄ２の中央部の位置と一致しているが、これに制限されない。注出口６の筒部６１の幅方向Ｄ２の中央部の位置は、パウチ本体２の横方向Ｄ２の中心線ＣＬ１を挟んで、横方向Ｄ２のそれぞれにパウチ本体２の幅Ｗ１の１０％、好ましくは５％の範囲に位置していればよい。第１実施形態においては、幅Ｗ１は一定であるが、パウチ本体２の側縁の一部が内方に向かって凹んでいるなど一定ではない場合には、幅Ｗ１は、最も広い幅を意味する。幅Ｗ１は、例えば９０ｍｍ以上１８０ｍｍ以下であり、好ましくは１１０ｍｍ以上１５０ｍｍ以下である。また、幅Ｗ１は高さＨ１よりも小さい。
【００２９】
注出口６は、前面フィルム２１の上部の内面と背面フィルム２２の上部の内面とに挟み込まれた状態で、注出口取付シール部４０でシールされることにより取り付けられている。注出口取付シール部４０は、注出口６を挟んだ状態の前面フィルム２１と背面フィルム２２とをシールするシール部である。詳述すると、注出口取付シール部４０は、注出口６が前面フィルム２１と背面フィルム２２とに挟み込まれた領域（つまり、注出口６の下部）においては、注出口６と前面フィルム２１及び背面フィルム２２とを接合すると共に、注出口６の横方向Ｄ２の外側においては、前面フィルム２１の上部と背面フィルム２２の上部とを接合する。
【００３０】
図１、図２、図３（Ａ）に示すように、注出口取付シール部４０は、横方向Ｄ２に延びている。注出口取付シール部４０は、パウチ本体２（前面フィルム２１及び背面フィルム２２）の全幅には亘っておらず、パウチ本体２の側縁から横方向Ｄ２の内側に位置している。注出口取付シール部４０の横方向Ｄ２の端部は、側部シール部５０の第１側部シール部５１（詳細は後述）と重なっている。注出口取付シール部４０は、側部シール部５０と重ならない非重なり部分４１と、側部シール部５０と重なる重なり部分４２とに区画される。図２に示すように、注出口取付シール部４０には右上がりの斜めハッチングが付されており、側部シール部５０には右下がりの斜めハッチングが付されている。従って、重なり部分４２には、右上がりの斜めハッチング及び右下がりの斜めハッチングの両方が付されている。
【００３１】
注出口取付シール部４０の幅Ｗ４０（図２参照）は、例えば７０ｍｍ以上１５０ｍｍ以下であり、好ましくは９０ｍｍ以上１２０ｍｍ以下である。重なり部分４２の幅Ｗ４２（図２参照）は、例えば３ｍｍ以上１０ｍｍ以下であり、好ましくは４ｍｍ以上６ｍｍ以下である。なお、図２においては、各部分４０、４２の各幅Ｗ４０、Ｗ４２について［  ］で囲って示している。
【００３２】
〔キャップ〕
キャップ６９は、注出口６の貫通孔を封鎖するものであり、注出口６の筒部６１の上部に対して着脱自在である。第１実施形態では、着脱自在な構成は、螺合により実現されている。なお、着脱自在な構成は螺合に制限されない。また、キャップは、打栓式のものであってもよいし、注出口６から一旦外すと、再度の装着が不可能な構成であってもよい。
【００３３】
〔表示部〕
図１に示すように、パウチ本体２の前面を形成する前面フィルム２１には、表示部２４が設けられる。パウチ本体２の背面を形成する背面フィルム２２には、表示部（図示せず）が設けられていてもよく、又は、設けられていなくてもよい。表示部２４は、各種の表示内容が記載された部位である。表示内容は、特に制限されないが、例えば、注出口付パウチ１に係る商品の内容、商品名（ロゴマークを含む）、商品の製造者名（ロゴマークを含む）、商品のイメージイラストが挙げられる。図１には、イメージイラストとして、熊が大きなリンゴを抱えたイラストが示されているが、これに限らず、文字、数字、記号、図形、絵柄やこれらの組合せであってもよい。
【００３４】
〔側部シール部の詳細〕
図１、図２に示すように、側部シール部５０は、上下方向Ｄ１に延びている。側部シール部５０は、注出口取付シール部４０と接続する第１側部シール部５１と、第１側部シール部５１の下部と連続する第２側部シール部５２とに区画されている。第１側部シール部５１は、パウチ本体２の上縁まで延びている。第２側部シール部５２は、底部シール部５５に連続している。図２に示すように、第１側部シール部５１の幅Ｗ５１は、第２側部シール部５２の幅Ｗ５２よりも広くなっている。パウチ本体２（前面フィルム２１、背面フィルム２２）の側縁（横方向Ｄ２の外縁。以下同様）と、第１側部シール部５１の側縁と、第２側部シール部５２の側縁とは、一致している。そのため、第１側部シール部５１の内縁５１３（横方向Ｄ２の内縁。以下同様）は、第２側部シール部５２の内縁５２１よりも横方向Ｄ２の内側に位置している。例えば、左側の第１側部シール部５１の内縁５１３は、左側の第２側部シール部５２の内縁５２１よりも右方向Ｄ２２に位置している。
【００３５】
第１側部シール部５１について、横方向Ｄ２において、第２側部シール部５２よりも内側に延出している延出領域５１１といい、第２側部シール部５２の上方に位置する領域（延出領域５１１以外の領域）を非延出領域５１２という。延出領域５１１と非延出領域５１２とを区画する仮想線を「仮想延長線Ｌ５」という。図２に示すように、仮想延長線Ｌ５は、上下方向Ｄ１に、第２側部シール部５２の内縁５２１と連続しており、第２側部シール部５２の内縁５２１から上方向Ｄ１１に仮想的に延長する線である。つまり、非延出領域５１２の下部の幅Ｗ５１２と第２側部シール部５２の上部の幅Ｗ５２とは、同じである。なお、図２においては、各領域５１１、５１２の各幅Ｗ５１１、Ｗ５１２について［  ］で囲って示している。
【００３６】
第１側部シール部５１の全体の幅Ｗ５１（図２参照）は、例えば１３ｍｍ以上２６ｍｍ以下であり、好ましくは１５ｍｍ以上２０ｍｍ以下である。非延出領域５１２の幅Ｗ５１２（図２参照）及び第２側部シール部５２の上部の幅Ｗ５２（図２参照）は、例えば３ｍｍ以上８ｍｍ以下であり、好ましくは４ｍｍ以上６ｍｍ以下である。
第１実施形態においては、前述の各幅Ｗ５１、幅Ｗ５１１、幅Ｗ５１２及び幅Ｗ５２は一定である。なお、一定ではない場合には、幅Ｗ５１及び幅Ｗ５１１においては、最も広い幅を意味し、幅Ｗ５１２及び幅Ｗ５２においては、非延出領域５１２と第２側部シール部５２との接続部の幅を意味する。
【００３７】
〔切り込み線〕
図１、図２に示すように、切り込み線７０は、注出口付きパウチ１を吊り下げるときに用いられる吊り下げ手段であり、パウチ本体２の第１側部シール部５１に設けられる。切り込み線７０は、側部シール部５０の形成時又は形成後に、形成される。その場合、前面フィルム２１に形成される切り込み線７０と背面フィルム２２に形成される切り込み線７０との位置は、自ずと一致する。なお、切り込み線７０は、側部シール部５０の形成前に、形成されてもよい。
【００３８】
切り込み線７０は、パウチ本体２の上部領域３５であって、注出口取付シール部４０の下方又は仮想延長部分４５の下方に配置されている。パウチ本体２の高さをＨ１とし、パウチ本体２の上縁から第１側部シール部５１の下縁までの高さをＨ２（図２参照）としたときに、Ｈ１に対するＨ２の比であるＨ２／Ｈ１は０．０６以上０．４１以下であり、好ましくは０．１７以上０．２以下である。また、高さＨ１は、例えば１００ｍｍ以上３００ｍｍ以下であり、好ましくは１３０ｍｍ以上１７０ｍｍ以下である。高さＨ２は、例えば１８ｍｍ以上４１ｍｍ以下であり、好ましくは２６ｍｍ以上３０ｍｍ以下である。
【００３９】
仮想延長部分４５は、注出口取付シール部４０を水平方向Ｄ２に延長した部分であり、側部シール部５０の第１側部シール部５１の一部である。仮想延長線Ｌ４は、仮想延長部分４５とその下方の側部シール部５０の第１側部シール部５１とを区画する仮想線である。本発明においては、切り込み線７０の全体が、注出口取付シール部４０の下方に配置されていてもよく、又は、仮想延長部分４５の下方に配置されていてもよい。第１実施形態では、切り込み線７０の全体が仮想延長部分４５の下方に配置されている。別の見方をすると、切り込み線７０は、注出口取付シール部４０と仮想延長部分４５との境界線から下方向Ｄ１２へ仮想的に延びる仮想延長線Ｌ４２（図２参照）よりも、横方向Ｄ２の外側に位置する。すなわち、切り込み線７０は、仮想延長線Ｌ４２よりも、左方向Ｄ２１に位置している。
【００４０】
第１実施形態では、切り込み線７０は、連続した略Ｃ字状である。略Ｃ字状とは、完全には閉じていないが、一部が開放した形状を意味する。
【００４１】
切り込み線７０に包囲された部分が、切り込み線７０の両端部を繋ぐ線を折り返し線として折り返されることで、吊り下げ用孔７８（図４、図５参照）は、形成される。
【００４２】
図２に示すように、第１実施形態において、切り込み線７０の少なくとも一部は、第２側部シール部５２の内縁５２１よりも内容物収容部２６側に配置されている。また、横方向Ｄ２において、切り込み線７０には、仮想延長線Ｌ５（図２参照）が重なっている。すなわち、切り込み線７０のうち、仮想延長線Ｌ５より右側の部分は、第２側部シール部５２の内縁５２１よりも右側に位置している。
【００４３】
パウチ本体２の高さをＨ１とし、上部領域３５の上縁から切り込み線７０の上縁までの高さをＨ３（図１参照）としたときに、Ｈ１に対するＨ３の比であるＨ３／Ｈ１の上限は、好ましくは０．２５であり、更に好ましくは０．１５である。Ｈ３／Ｈ１の下限は、好ましくは０．０５である。高さＨ３は、例えば９ｍｍ以上２３ｍｍ以下である。
【００４４】
第１側部シール部５１の側縁と切り込み線７０の横方向Ｄ２の最外側との間の距離Ｗ７１（図２参照）は、例えば４ｍｍ以上８ｍｍ以下であり、好ましくは５ｍｍ以上６ｍｍ以下である。第１側部シール部５１の内縁５１３と切り込み線７０の横方向Ｄ２の最内側との間の距離Ｗ７２（図２参照）は、例えば４ｍｍ以上８ｍｍ以下であり、好ましくは５ｍｍ以上６ｍｍ以下である。仮想延長線Ｌ４と切り込み線７０の上縁との間の高さＨ７（図２参照）は、例えば４ｍｍ以上８ｍｍ以下であり、好ましくは５ｍｍ以上６ｍｍ以下である。切り込み線７０の下縁と第１側部シール部５１の下縁との間の高さＨ８（図２参照）は、例えば４ｍｍ以上８ｍｍ以下であり、好ましくは５ｍｍ以上６ｍｍ以下である。
【００４５】
第１実施形態においては、注出口付パウチ１の全体として、横方向Ｄ２にも前後方向にも実質的に対称である（切り込み線７０の存在を除く）。切り込み線７０は重量バランスには実質的に影響を与えない。従って、重量バランス的に、注出口付パウチ１の全体として横方向Ｄ２にも前後方向にも実質的に対称である。
【００４６】
同様に、パウチ本体２に着目した場合、横方向Ｄ２にも前後方向にも実質的に対称である（切り込み線７０の存在を除く）。切り込み線７０は重量バランスには実質的に影響を与えない。従って、重量バランス的に、パウチ本体２は、横方向Ｄ２にも前後方向にも実質的に対称である。
【００４７】
フィルムとしては、例えば、少なくとも、基材層とシーラント層とを備える積層フィルムを用いることができる。基材層を構成する材料としては、ポリエチレンテレフタレート、ナイロン、ポリプロピレン等のプラスチックや、紙等を用いることができる。また、シーラント層を構成する材料としては、ポリエチレンやポリプロピレン等を用いることができる。積層フィルムには、印刷層やバリア層が形成されていてもよい。バリア層としては、例えば、アルミニウム箔などの金属箔や、アルミニウムなどの無機物や酸化珪素や酸化アルミニウムなどの無機酸化物等が挙げられる。
【００４８】
〔吊り下げ状態〕
以上の構成を有する注出口付パウチ１は、以下のように吊り下げられる。パウチ本体２の切り込み線７０を展示用の吊り下げ用フックＰの先端部Ｐ１に接近させる。切り込み線７０に包囲された部分は、吊り下げ用フックＰの先端部Ｐ１に押される。そのため、切り込み線７０に包囲された部分は、切り込み線７０の両端部を繋ぐ線を折り返し線として折り返され、図４、図５に示すように、舌片７７及び吊り下げ用孔７８は形成される。その結果、注出口付パウチ１は、吊り下げ用フックＰに吊り下げされ、展示され、又は陳列される。
【００４９】
吊り下げ状態においては、図５に示すように、吊り下げ用フックＰの先端部Ｐ１の真下に注出口付パウチ１の重心が位置するように、注出口付パウチ１（パウチ本体２）は傾く。すなわち、注出口付パウチ１の中心線ＣＬ１は、鉛直線ＣＬ２に対して、角度θをもって傾く。このような傾きは、吊り下げ手段である切り込み線７０が注出口付パウチ１の中心線ＣＬ１から離れている以上、事実上不可避である。パウチ本体２が傾くと、パウチ本体２に設けられている表示部２４も傾いてしまう。しかし、後述するように、本発明によれば、表示部２４の傾きを抑制することができる。
【００５０】
第１実施形態の注出口付パウチ１によれば、例えば以下の効果が奏される。第１実施形態の注出口付パウチ１は、可撓性のフィルムで構成されるパウチ本体２と、パウチ本体２の上端部３１に取り付けられる注出口６と、を備える注出口付きパウチ１であり、パウチ本体２に設けられ且つ注出口付きパウチ１を吊り下げるときに用いられる切り込み線７０を更に備える注出口付きパウチ１である。パウチ本体２は、フィルムとして、前面を形成する前面フィルム２１及び背面を形成する背面フィルム２２を少なくとも備え、また、底部３２にマチ部３４を備える底部ガセットパウチ形状を有し、パウチ本体２は、前面及び／又は背面に、表示部２４を有する。注出口６は、パウチ本体２の幅方向Ｄ２の中央部に、注出口取付シール部４０により取り付けられる。切り込み線７０は、パウチ本体２の上部領域３５であって、注出口取付シール部４０の下方又はこの注出口取付シール部４０を水平方向Ｄ２に延長した仮想延長部分４５の下方に、配置されている。
【００５１】
そのため、第１実施形態の注出口付パウチ１によれば、切り込み線７０は注出口取付シール部４０又は仮想延長部分４５の下方に設けられるため、注出口取付シール部４０の形成前にパウチ本体２に切り込み線７０を形成しても、熱溶着のための熱板が切り込み線７０に当たらないようにして注出口取付シール部４０を形成することができるため、切り込み線７０からシーラント層を形成する熱可塑性樹脂が溶出して、見栄えが悪くなることを防止することができる。切り込み線７０がパウチ本体２の上部領域３５に配置されるため、切り込み線７０を用いて注出口付きパウチ１を吊り下げたときに、表示部２４の傾きは比較的小さい。そのため、例えば、注出口付きパウチ１に係る商品において、表示部２４の表示内容を比較的自然に視認でき、商品訴求力が高い。また、吊り下げ手段の形成時に穿孔された際に生じる断片が生じないため、穿孔された際に生じる断片に起因する不具合を抑制することができる。
【００５２】
第１実施形態の注出口付パウチ１においては、パウチ本体２は略矩形状である。そのため、長尺状の前面フィルム２１および長尺状の背面フィルム２２に対して、面付数を多くすることができるため、パウチ本体２のコストを抑えることができる。
【００５３】
第１実施形態の注出口付パウチ１においては、切り込み線７０の少なくとも一部は、第２側部シール部５２の内縁５２１よりも内容物収容部２６側に配置されている。そのため、切り込み線７０を一層、パウチ本体２の幅方向Ｄ２の中央部寄りに配置することができる。
【００５４】
〔切り込み線の変形例〕
図１等に示す第１実施形態においては、切り込み線７０は、連続的になっている。これに対して、図６に示す変形例においては、注出口付パウチ１が吊り下げられる前において、切り込み線７０Ａは、非連続部７５を挟んで非連続的になっている略Ｃ字状である。切り込み線７０Ａは、内端部７２及び外端部７３を有する円弧状の第１部分７１ａと、内端部７２及び外端部７３を有する円弧状の第２部分７１ｂと、第１部分７１ａの内端部７２と第２部分７１ｂの内端部７２との間の非連続部７５と、を備える。
【００５５】
非連続部７５の長さＷ７５（図６参照）は、切り込み線７０の対向する内端部７２，７２同士を直線的に測った長さである。非連続部７５の長さＷ７５の下限は、例えば０．１ｍｍであり、好ましくは０．２ｍｍであり、更に好ましくは０．３ｍｍである。非連続部７５の長さＷ７５の上限は、例えば１．０ｍｍであり、好ましくは０．９ｍｍであり、更に好ましくは０．８ｍｍである。
【００５６】
このように、切り込み線７０Ａは、非連続部７５を挟んで非連続的になっているが、非連続部７５が破断することによって連続する。切り込み線７０Ａの非連続部７５が破断され、破断した非連続部７５から連結スリット（図示せず）が形成されることで、吊り下げ用孔７８は形成される。
【００５７】
図６に示す変形例においては、注出口付きパウチ１を吊り下げる前において、切り込み線７０Ａの内側に舌片７７が形成されていないため、舌片７７との引っ掛かり等の舌片７７などに起因する不具合を抑制することができる。一方で、注出口付きパウチ１を吊り下げる操作を行えば、非連続部７５を破断させることによって、切り込み線７０Ａは連続する。そのため、切り込み線７０Ａを用いて注出口付きパウチ１を容易に吊り下げることができる。また、切り込み線７０Ａの内側の部分が意図せずにパウチ本体２から破断することも抑制することができる。
【００５８】
〔第２実施形態〕
次に、本発明の第２実施形態の注出口付パウチ１Ａについて、図７を参照しながら説明する。図７は、本発明の第２実施形態の注出口付きパウチ１Ａの正面図である（図１対応図）。第２実施形態では、主に第１実施形態との相違点について説明する。そのため、第１実施形態と同一（又は同等）の構成については、詳細な説明を省略する。また、第２実施形態において特に説明しない点については、第１実施形態の説明が適宜に適用又は援用される。第２実施形態においても、第１実施形態と同様の効果が奏される。
【００５９】
第２実施形態の注出口付パウチ１Ａにおいては、図７に示すように、注出口取付シール部４０は、パウチ本体２の上端部３１の全幅に亘って設けられている。つまり、注出口取付シール部４０の重なり部分４２は、パウチ本体２の側縁まで延びている。そのため、仮想延長部分４５は存在しない。また、切り込み線７０は必ず注出口取付シール部４０の重なり部分４２の下方に配置される。なお、図７には、第１側部シール部５１と重なるように注出口取付シール部４０が形成される例を示したが、これに制限されず、重なり部分４２において、第１側部シール部５１の一部または全部が形成されないようにしてもよい。
【００６０】
〔変形例〕
以上、本発明の実施形態について説明した。しかし、本発明は、上述した実施形態に限定されることなく、種々の形態で実施することができる。図８は、底部にマチ部を備えない平坦パウチ形状のパウチ本体を示す部分断面図である（図３（Ｃ）対応図）。前記実施形態におけるパウチ本体２は、底部３２にマチ部３４を備える底部ガセットパウチ形状を有している。これに対して、図８に示すように、パウチ本体２は、底部３２にマチ部を備えない平坦パウチ形状を有していてもよい。
【００６１】
表示部２４は、背面フィルム２２のみに設けられていてもよい。
切り込み線７０は、略Ｃ字状に制限されず、吊り下げ手段として機能可能な限り、各種形状を取ることができる。
第１側部シール部５１の内縁５１３は、上下方向Ｄ１に平行に延びているが、これに制限されない。第１側部シール部５１の内縁は、横方向Ｄ２の内側に向かって斜め上方に延びていてもよい。言い換えると、横方向Ｄ２に一対の第１側部シール部５１の内縁は、上方向Ｄ１１に向かうに従って徐々に間隔が狭くなるように、傾斜していてもよい。
【符号の説明】
【００６２】
１  注出口付きパウチ
２  パウチ本体
６  注出口
２１  前面フィルム
２１３  側部
２２  背面フィルム
２２３  側部
２４  表示部
２６  内容物収容部
３１  上端部
３２  底部
３４  マチ部
３５  上部領域
４０  注出口取付シール部
４５  仮想延長部分
５０  側部シール部
５１  第１側部シール部
５２  第２側部シール部
５２１  第２側部シール部の内縁
７０  切り込み線
７５  非連続部
Ｄ２  幅方向、水平方向
Ｗ５１  第１側部シール部の幅
Ｗ５２  第２側部シール部の幅
【図１】
2018070244.tif 000003
【図２】
2018070244.tif 000004
【図３】
2018070244.tif 000005
【図４】
2018070244.tif 000006
【図５】
2018070244.tif 000007
【図６】
2018070244.tif 000008
【図７】
2018070244.tif 000009
【図８】
2018070244.tif 000010